(57)【要約】【課題】必要なときにある程度の時間継続して揮散できる揮散容器を提供する。【解決手段】揮散容器1は、カプセル20が収容される収容部S1を有して開口部A1が形成された本体2と、側壁2bの内面に第１付勢部材4を介して固定される案内板3と、案内板6と受け台6cを有して受け台6cに貫通孔6dが形成されている操作部材Bと、本体2と操作部材Bとの間に配置される第2付勢部材8とを備え、案内板3,6が初期位置にあるときに案内板3と受け台6cとの間に隙間Cが形成されるとともに、操作部材Bを押し込んでカプセル20を破壊したとき、貫通孔6dの真下に位置してカプセル20の内容物Mを保持する保持部材9と、操作部材Bの押し込みを解除して案内板3,6を復帰させたとき隙間Cの真下に位置してカプセル20の残渣20rを収容するケース10を備える。【選択図】図６
2014166873.tif 000002
【特許請求の範囲】
【請求項１】
揮発性を有する内容物が充填された破壊可能な充填カプセルと、
通気孔が形成された少なくとも１つの側壁と少なくとも１つの前記充填カプセルが収容される収容部を有して当該収容部の底壁に前記充填カプセルを落下させる開口部が形成された本体と、
前記側壁の内面に当該内面と対向する向きに付勢力を与える第１の付勢部材を有して前記充填カプセルの落下を案内する第１の案内板と、
前記第１の案内板と対向する位置に配置されて前記充填カプセルの落下を案内する第２の案内板と前記充填カプセルを載せ置く受け台を有して当該受け台に貫通孔が形成されているとともに前記第１の案内板に向かって押し込み可能な操作部材と、
前記本体と前記操作部材との間に配置されて前記内面と対向する位置に付勢する第２の付勢部材とを備え、
前記操作部材および前記第１の案内板が押し込み前の位置にあるときに、前記第１の案内板と前記操作部材の前記受け台との間に隙間が形成されるとともに、
さらに、前記操作部材を押し込んで前記第２の案内板が前記充填カプセルを前記第１の案内板との間で押し潰して破壊したとき、前記受け台の前記貫通孔の真下に位置して当該貫通孔を通して落下した前記内容物を保持する内容物保持部材と、
前記操作部材の押し込みを解除して当該操作部材の前記第２の案内板と前記第１の案内板とを押し込み前の位置に復帰させたときに、前記隙間の真下に位置して、前記隙間を通して落下した前記充填カプセルの残渣を収容するケースとを付加して備える、揮散容器。
【請求項２】
請求項１において、前記第２の案内板に、前記第１の案内板に向かって指向する、少なくとも１つの突起が設けられた、揮散容器。
【発明の詳細な説明】
【技術分野】
【０００１】
本発明は、大気中に気化した内容物を揮散させる揮散容器に関するものである。
【背景技術】
【０００２】
従来の揮散容器としては、例えば、蓋を任意の角度で開くことにより、揮発性を有する内容物（例えば、芳香剤）を常に少量ずつ気化させて、大気中に揮散させる構成のもの（例えば、特許文献１参照）や、噴霧ボタンを押した時間だけ、気化した内容物を大気中に揮散させる構成のもの（例えば、特許文献２参照）が挙げられる。
【先行技術文献】
【特許文献】
【０００３】
【特許文献１】特許第３７４４５６３号公報
【特許文献２】特開２００１−７２１５１号公報
【発明の概要】
【発明が解決しようとする課題】
【０００４】
しかしながら、上記従来の揮散容器のうち、前者の揮散容器では、蓋を一旦開いてしまうと、揮散が不要な場合であっても揮散が継続的に行われるため、気化薬剤などの揮発性を有する内容物が無駄に消費される場合がある。また、後者の揮散容器では、揮散が一時的なものであるため、ある程度の時間持続して揮散させたい場合には不向きがあった。
【０００５】
本発明の目的とするところは、無駄な揮散を防止しつつ、必要なときには、ある程度の時間継続して揮散を行うことができる、新規な揮散容器を提供することにある。
【課題を解決するための手段】
【０００６】
本発明の揮散容器は、揮発性を有する内容物が充填された破壊可能な充填カプセルと、
通気孔が形成された少なくとも１つの側壁と少なくとも１つの前記充填カプセルが収容される収容部を有して当該収容部の底壁に前記充填カプセルを落下させる開口部が形成された本体と、
前記側壁の内面に当該内面と対向する向きに付勢力を与える第１の付勢部材を有して前記充填カプセルの落下を案内する第１の案内板と、
前記第１の案内板と対向する位置に配置されて前記充填カプセルの落下を案内する第２の案内板と前記充填カプセルを載せ置く受け台を有して当該受け台に貫通孔が形成されているとともに前記第１の案内板に向かって押し込み可能な操作部材と、
前記本体と前記操作部材との間に配置されて前記内面と対向する位置に付勢する第２の付勢部材とを備え、
前記操作部材および前記第１の案内板が押し込み前の位置にあるときに、前記第１の案内板と前記操作部材の前記受け台との間に隙間が形成されるとともに、
さらに、前記操作部材を押し込んで前記第２の案内板が前記充填カプセルを前記第１の案内板との間で押し潰して破壊したとき、前記受け台の前記貫通孔の真下に位置して当該貫通孔を通して落下した前記内容物を保持する内容物保持部材と、
前記操作部材の押し込みを解除して当該操作部材の前記第２の案内板と前記第１の案内板とを押し込み前の位置に復帰させたときに、前記隙間の真下に位置して、前記隙間を通して落下した前記充填カプセルの残渣を収容するケースとを付加して備える。
【０００７】
第２の案内板には、前記第１の案内板に向かって指向する、少なくとも１つの突起を設けることができる。
【発明の効果】
【０００８】
本発明によれば、充填カプセルを適宜破壊して、揮発性を有する内容物を取り出すことにより、無駄な揮散を防止しつつ、必要なときには、ある程度の時間継続して揮散を行うことができ、さらに、充填カプセルの残渣をケースによって分別回収できる。
【図面の簡単な説明】
【０００９】
【図１】（ａ）は、本発明の一実施形態である、揮散剤カプセル容器を示す正面図であり、（ｂ）は、図１（ａ）の背面図である。
【図２】本実施形態の揮散剤カプセル容器の初期位置を示し、（ａ）は、図１（ａ）のＸ−Ｘ断面図であり、（ｂ）は、（ａ）のＹ−Ｙ断面図である。
【図３】本実施形態の揮散剤カプセル容器の押し込み開始した状態を示し、（ａ）は、図１（ａ）のＸ−Ｘ断面に相当する図であり、（ｂ）は、図２（ａ）のＹ−Ｙ断面に相当する図である。
【図４】本実施形態の揮散剤カプセル容器を完全に押し込んで充填カプセルを破壊して芳香剤を揮散体に含浸させている状態を示し、（ａ）は、図１（ａ）のＸ−Ｘ断面に相当する図であり、（ｂ）は、図２（ａ）のＹ−Ｙ断面に相当する図である。
【図５】本実施形態の揮散剤カプセル容器の押し込みを解除した直後の状態を示し、（ａ）は、図１（ａ）のＸ−Ｘ断面に相当する図であり、（ｂ）は、図２（ａ）のＹ−Ｙ断面に相当する図である。
【図６】本実施形態の揮散剤カプセル容器の操作部材が初期位置に復帰して充填カプセルの残渣がケース内に分別回収された状態を示し、（ａ）は、図１（ａ）のＸ−Ｘ断面に相当する図であり、（ｂ）は、図２（ａ）のＹ−Ｙ断面に相当する図である。
【図７】本実施形態の揮散剤カプセル容器の第１の案内板であって、（ａ）は、その上面図であり、（ｂ）は、（ａ）の側面図である。
【発明を実施するための形態】
【００１０】
以下、図面を参照して、本発明の一実施形態である、揮散剤カプセル容器を詳細に説明する。
【００１１】
図１（ａ），（ｂ）中、符号１は、本発明の一実施形態である揮散剤カプセル容器であり、符号２は、合成樹脂製の本体である。図１（ａ）中、符号２ａは、前方に配置された薄板状の側壁である。また図１（ｂ）中、符号２ｂは、後方に配置された薄板状の側壁である。側壁２ａと側壁２ｂとは、左右両方に配置された薄板状の側壁２ｃによって一体に設けられている。本実施形態では、側壁２ａおよび側壁２ｂは、側壁２ｃよりも狭い幅で構成されている。これにより、図２（ｂ）に示すように、側壁２ａ〜側壁２ｃの内側には、前後方向に長い矩形の空間が形成されている。
【００１２】
図２（ａ）中、符号２０は、揮散剤カプセル（充填カプセル）である。揮散剤カプセル２０は、破壊可能な外殻（カプセル）の内側に、揮発性を有する内容物（以下、「揮発性内容物」）Ｍが収容されている。揮発性内容物Ｍとしては、例えば、外殻を破壊することで揮散（気化による拡散）しやすくなる性質を有する内容物が挙げられる。具体的には、揮発性内容物Ｍは、芳香剤、空気清涼剤、脱臭剤、消臭剤、悪臭中和剤、殺虫剤、防虫剤、忌避剤、薬物、消毒剤、殺菌剤、興奮剤、アロマテラピー組成物等の揮散可能な内容物が挙げられる。また揮発性内容物Ｍの形態は、液状、粒状、ゼリー状のもの等、様々な形態を採用することができる。揮散剤カプセル２０の外観形状も、本実施形態では球形に形作られているが、通常のカプセルのような円筒形のもの等、様々な外観形状を採用することができる。さらに、外殻は、固形状は勿論、例えば比較的軟らかいフィルム状等とすることができる。
【００１３】
本体２は、図２（ａ）に示すように、揮散剤カプセル２０が収容される収容部Ｓ1を有する。収容部Ｓ1は、本体２の内側に設けられた仕切壁２ｄを底壁として、本体２の内側上方に配置されている。仕切壁２ｄには、揮散剤カプセル２０を落下させる開口部Ａ1が形成されている。本実施形態では、図２（ａ）に示すように、仕切壁２ｄの一部が開口部Ａ1に向かってすり鉢状に形成されている。
【００１４】
符号３は、合成樹脂製の第１案内板（第１の案内板）である。第１案内板３は、側壁２ｂの内面に固定されている。第１案内板３は、側壁２ｂの内面と対向する向きに付勢力を与える第１付勢部材（第１の付勢部材）４を有して、揮散剤カプセル２０の落下を、第１付勢部材４と対向する側に案内する。すなわち、第１付勢部材４は、第１案内板３を、図２（ａ），（ｂ）に示すように、側壁２ｂの内面と対向する向きに付勢することにより、後述する操作部材Ｂを押し込む前の初期位置に位置決めする。これにより、第１案内板３は、揮散剤カプセル２０の落下を弾性的に案内する。
【００１５】
本実施形態では、第１案内板３は、図２（ａ）に示すように、２つの揮散剤カプセル２０を案内する。ただし、第１案内板３は、少なくとも、１つの揮散剤カプセル２０を案内できるものであればよい。また、本実施形態では、第１案内板３は、揮散剤カプセル２０との接触面３ｆが、図７（ａ）に示すように、揮散剤カプセル２０の外観形状に沿ったＣ字断面形状の湾曲面で構成されている。ただし、接触面３ｆの形状は、湾曲面に限定されるものではなく、例えば、コの字断面形状のもの等、様々な形態のものを採用することができる。また、第１案内板３は、その背面（側壁２ｂの内面側の面）に、ストッパ３ａが一体に設けられている。
【００１６】
次いで本実施形態では、第１付勢部材４は、変形および復元が可能な２つの板ばね部材４ａを対向配置してなる。これにより、第１案内板３を側壁２ｂの内面に向かって押し込んだとき、この第１案内板３に側壁２ｂの内面と対向する向きに付勢力を与えることができる。ただし、第１付勢部材４も、第１案内板３に側壁２ｂの内面と対向する向きに付勢力を与えられる形態であれば、これに限定されるものではない。
【００１７】
さらに本実施形態では、第１案内板３は、第１付勢部材４を介して固定部５を一体に有する。本実施形態では、固定部５は、固定部５の上端を開口させるスリット５ａを有する。また、固定部５は、その背面（第１付勢部材４と対向する面）に嵌合突起５ｂが設けられている。固定部５は、図２（ａ）に示すように、本体２の仕切壁２ｄから一体に垂下する支持板２ｅをスリット５ａに挿入するとともに、側壁２ｂに形成した嵌合孔２ｎに嵌合突起５ｂを嵌合させることにより、側壁２ａの内面に保持固定される。
【００１８】
符号Ｂは、第１案内板３と対向する位置に配置される合成樹脂製の操作部材である。操作部材Ｂは、合成樹脂製の第２案内板（第２の案内板）６を有する。第２案内板６は、接触面６ｆを有し、第１案内板３と対向する位置に配置されている。接触面６ｆは、第１案内板３の接触面３ｆと対向する位置に、間隔を置いて配置されている。これにより、第２案内板６は、図２（ａ）に示すように、第１案内板３との間で、揮散剤カプセル２０の落下を第１案内板３側に案内する。
【００１９】
本実施形態では、第２案内板６も、図２（ａ）に示すように、２つの揮散剤カプセル２０を案内する。ただし、第２案内板６は、第１案内板３と同様、少なくとも、１つの揮散剤カプセル２０を案内できるものであればよい。また、本実施形態では、第２案内板６は、揮散剤カプセル２０との接触面６ｆが、図２（ｂ）に示すように、平坦面で構成されている。接触面６ｆには、２つの突起６ａが一体に設けられている。突起６ａはそれぞれ、第１案内板３に向かって指向し、その先端が先細りの形状を有する。突起６ａの先端はそれぞれ、図２（ｂ）に示すように、揮散剤カプセル２０の中心付近に接触するように形作られている。さらに、第２案内板６には、２つの規制壁６ｂが間隔を置いて一体に設けられている。規制壁６ｂはそれぞれ、揮散剤カプセル２０の左右方向の移動を規制する。
【００２０】
加えて、操作部材Ｂは、揮散剤カプセル２０を載せ置く受け台６ｃを有する。本実施形態では、受け台６ｃは、図２（ｂ）に示すように、第２案内板６の下端部として一体に設けられている。また、本実施形態では、受け台６ｃの外観形状は、図２（ｂ）に示すように、揮散剤カプセル２０の外形形状と同様の半円形状に形作られている。加えて、本実施形態では、受け台６ｃに貫通孔６ｄが形成されている。貫通孔６ｄは、揮散剤カプセル２０を破壊したとき、揮散剤カプセル２０から取り出された揮発性内容物Ｍを下方に落下させることができるように形成されている。本実施形態では、貫通孔６ｄは、図２（ｂ）に示すように、受け台６ｃを二等分するスリットとして構成されている。
【００２１】
加えて、第２案内板６は、接触面６ｆと対向する位置に、中空のピストン６ｇが一体に設けられている。ピストン６ｇは、本体２の側壁２ａに開口するシリンダ２ｇにスライド可能に保持されている。加えて、第２案内板６は、ピストン６ｇの内側に、接触面６ｆと対向する向きに軸部６ｅが一体に設けられている。軸部６ｅは、押圧部材７に形成された嵌合孔７ａに固定保持されている。押圧部材７は、本体２の側壁２ａに形成された開口部を貫通する。また押圧部材７は、側壁２ａに形成された開口部から突出する押圧部が設けられている。本実施形態では、押圧部は、複数の傾斜リブ７ｂが間隔を置いて配置されてなる。これにより、押圧部材７の傾斜リブ７ｂを押し込めば、第２案内板６を第１案内板３に向かって移動させることができる。
【００２２】
なお、本実施形態では、ピストン６ｇは、円筒形状に形作られている。このため、ピストン６ｇは、第２案内板６とともに、この第２案内板６によって一端が閉じられた円筒形状に形作られている。したがって、本実施形態では、シリンダ２ｇもピストン６ｇを取り囲む円筒形状に形作られている。ただし、シリンダ２ｇとピストン６ｇの外観形状については、円筒形状に限定されるものではない。すなわち、シリンダ２ｇとピストン６ｇの外観形状は、第２案内板６を第１案内板３に向かってスライドさせることができる形状であれば、様々な形状を採用することができる。また、本実施形態では、押圧部材７は、図１（ａ）に示すように、その正面形状が角形に形作られている。ただし、押圧部材７の外観形状も、第２案内板６を第１案内板３に向かってスライドさせることができる形状であれば、これに限定されるものではない。さらに本実施形態では、操作部材Ｂは、第２案内板６と押圧部材７で構成されているが、第２案内板６と押圧部材７とは一体に構成することができる。
【００２３】
符号８は、本体２と操作部材Ｂとの間に配置された第２付勢部材（以下、第２の付勢部材）である。第２付勢部材８は、図２（ａ），（ｂ）に示すように、操作部材Ｂを側壁２ｂの内面と対向する向きに付勢する。すなわち、第２付勢部材８は、図２（ａ），（ｂ）に示すように、操作部材Ｂの第２案内板６を側壁２ｂの内面と対向する向きに付勢することにより、操作部材Ｂを押し込み前の初期位置に位置決めする。これにより、第２案内板６も、揮散剤カプセル２０の落下を弾性的に案内する。また、第２付勢部材８を設けたことにより、操作部材Ｂを第２付勢部材８の付勢力に抗して押し込んだのち、この押し込みを解除すれば、操作部材Ｂを自動的に図２（ａ），（ｂ）に示す初期位置に復帰させることができる。本実施形態では、第２付勢部材８は、本体２と押圧部材７との間に配置されたリターンスプリングで構成されている。
【００２４】
さらに、本実施形態では、図２（ａ），（ｂ）に示すように、第１案内板３および第２案内板６が初期位置にあるときに、第１案内板３と受け台６ｃとの間には、隙間Ｃが形成される。隙間Ｃは、揮散剤カプセル２０を破壊したのちに生じる、揮散剤カプセル２０の残渣２０ｒを下方に落下させることができるように形成されている。本実施形態では、隙間Ｃは、図２（ｂ）に示すように、第１案内板３の接触面３ｆと、第２案内板６の接触面６ｆ、規制壁６ｂの内面および受け台６ｃの外縁で区画されたアーチ状の領域として構成されている。
【００２５】
図２（ａ）中、符号９は、揮散体（内容物保持部材）である。揮散体９は、揮散剤カプセル２０が破壊されたとき、揮散剤カプセル２０から取り出された揮発性内容物Ｍを外気に晒された状態で保持する。揮散体９は、揮散剤カプセル２０から取り出された液体、粒体、粉体等を含む揮発性内容物Ｍを含浸または載置することができる。揮散体９としては、例えば、板状の不織布や、スポンジ体等の多孔質材料が挙げられる。
【００２６】
本実施形態では、揮散体９は、図２（ａ）に示すように、第１付勢部材４の真下の位置に配置されている。さらに詳細には、図４（ａ）に示すように、揮散体９は、操作部材Ｂを第２付勢部材８の付勢力に抗して押し込んで、第２案内板６が第１付勢部材４の付勢力に抗して第１案内板３との間で、揮散剤カプセル２０を押し潰して破壊したとき、受け台６ｃの貫通孔６ｄの真下に位置するように配置されている。本実施形態では、揮散体９は、本体２の側壁２ｂおよび側壁２ｃの内面に設けられた複数の突条２ｒによって支持されている。
【００２７】
また、本実施形態では、側壁２ｂには、図１（ｂ）に示すように、複数の通気孔２ｈが形成されている。これにより、揮散体９から気化した揮発性内容物Ｍは、通気孔２ｈを通して大気中に揮散させることができる。さらに、本実施形態では、側壁２ｂの下端に、切り欠き２ｉが形成されている。これにより、気化した揮発性内容物Ｍは、切り欠き２ｉを通して大気中にさらに広く揮散させることができる。
【００２８】
さらに、図１（ｂ）中、符号１０は、本体２に収納された合成樹脂製のケースである。ケース１０は、図６（ａ）に示すように、隙間Ｃを通して落下した揮散剤カプセル２０の残渣２０ｒを収容する。ケース１０は、上端開口部Ａ2を有し、この上端開口部Ａ2を通して残渣２０ｒを収容空間Ｓ2に回収する。本実施形態では、図６（ａ）に示すように、ケース１０は、操作部材Ｂの真下の位置に配置されている。さらに詳細には、図６（ａ）に示すように、操作部材Ｂの押し込みを解除して第１案内板３および第２案内板６を初期位置に復帰させたときに、隙間Ｃの真下の位置に配置されている。
【００２９】
またケース１０は、把持部１０ａを有し、例えば、図６（ａ）に示すように、本体２の側壁２ｃの内面に沿ってスライドさせることにより、本体２に対して出し入れすることができる。ケース１０をスライドさせる手段としては、例えば、ケース１０の側壁内面および本体２の側壁２ｃ内面にそれぞれ、長溝とこの長溝に沿ってスライド可能に嵌合する凸部等の、既知の手段を採用することができる。
【００３０】
また、符号１１は、合成樹脂製の蓋体である。蓋体１１は、本体２の収容部Ｓ1を取り外し可能に閉じる。本実施形態では、蓋体１１は、本体２との合わせ面に、環状溝１１ａが形成されている。環状溝１１ａは、本体２の側壁２ａ〜２ｃの上端部に取り外し可能に嵌合することで、収容部Ｓ1の上端開口を密封する。さらに、蓋体１１の外周面には、この外周面を周回する環状外向き突起１１ｂが設けられている。
【００３１】
符号１２は、合成樹脂製のオーバーカバーである。オーバーカバー１２は、蓋体１１の上側に配置される天壁１２ａと、この天壁１２ａから一体に垂下する周壁１２ｂとを有する。周壁１２ｂの内周面は、蓋体１１の環状外向き突起１１ｂにスライド可能に接触する。さらに、周壁１２ｂの下端部１２ｃは、押圧部材７に設けた傾斜リブ７ｂの傾斜面７ｃに接触させることができる。これにより、オーバーカバー１２を押し下げると、第２案内板６を第２付勢部材８の付勢力に抗して第１案内板３に向かって移動させることができる。
【００３２】
加えて、周壁１２ｂの内周面には、この内周面を周回する環状内向き突起１２ｄが設けられている。オーバーキャップ１２は、第２付勢部材８の付勢力によって初期位置の押圧部材７を介して、その初期位置が図２（ａ）に示すように、本体２の上方に位置決めされている。オーバーキャップ１２が初期位置にあるとき、図２（ａ）に示すように、環状内向き突起１２ｄは、蓋体１１の環状外向き突起１１ｂに引っ掛かっている。これにより、オーバーカバー１２は、蓋体１１を介して本体２に、スライド可能に抜け止め保持されている。また、オーバーカバー１２の位置は、その押し込みを解除すると、第２付勢部材８の付勢力（復元力）によって、図２（ａ）に示す初期位置に復帰させることができる。
【００３３】
次に、図面を参照して、本実施形態の使用方法を説明する。
【００３４】
揮散容器１の収容部Ｓ1には、図２（ａ）に示すように、複数の揮散剤カプセル２０が充填されている。第１案内板３と第２案内板６との間には、２つの揮散剤カプセル２０が受け部３ｃによって上下に載置されている。大気中に揮発性内容物Ｍを揮散させたいとき、使用者はまず、図２（ａ）に示す初期位置からオーバーカバー１２を矢印に示す方向に押し下げる。
【００３５】
すると、オーバーカバー１２の端部１２ｃが、押圧部材７に設けた傾斜リブ７ｂの傾斜面７ｃに接触することにより、図３（ａ）の矢印に示すように、第２案内板６を第２付勢部材８の付勢力に抗して第１案内板３に向かって移動させる。そして、オーバーカバー１２の押し下げがさらに継続されると、第２案内板６は、揮散剤カプセル２０を第１案内板３との間で挟持しながら、第１案内板３を第１付勢部材４の付勢力に抗して側壁２ｂの内面に向かって移動させる。これにより、第２案内板６は、図４（ａ）に示すように、第１案内板３との間で揮散剤カプセル２０を第１の付勢部材の付勢力に抗して押し潰して破壊する。
【００３６】
特に、本実施形態では、第２案内板６に、２つの突起６ａを設けたことで、これら突起６ａの先端が揮散剤カプセル２０に対して大きな応力集中を与える。これにより、揮散剤カプセル２０の破壊が容易になる。また、本実施形態では、図２（ａ）に示すように、第２案内板６の接触面６ｆは、その開口部Ａ1側の一部が第１案内板３に向かって指向する膨出部６ｈに形作られている。加えて、膨出部６ｈの開口部Ａ1側は、図２（ａ）に示すように、ピストン６ｇの軸線方向稜線（ピストン６ｇの円筒軸線方向に沿った外観形状を形作る稜線）に沿って伸びる平坦な上端面として形作られている。膨出部６ｈは、第１案内板３との間に充填された２つの揮散剤カプセル２０の上方の動きを規制する。これによっても、揮散剤カプセル２０の破壊が容易になる。また、第２案内板６を第１案内板３に向かって移動させたとき、仕切壁２ｄに沿って開口部Ａ1に導かれた収容部Ｓ1内の新たな揮散剤カプセル２０が第１案内板３の上端と第２案内板６の上端の間で噛み込まれることが考えられる。しかしながら、本実施形態では、膨出部６ｈが、図３（ａ）に示すように、収容部Ｓ1からの揮散剤カプセル２０を収容部Ｓ1側に押し戻すことにより、第１案内板３の上端と第２案内板６の上端の間で噛み込まれることを防止することができる。
【００３７】
破壊された揮散剤カプセル２０からは、揮発性内容物Ｍが受け台３ｃに形成した貫通孔３ｄを通して落下することにより揮散体９に含浸または載置される。これにより、揮発性内容物Ｍは、本体２の側壁２ｂに形成された通気孔２ｈおよび切り欠き２ｉを通して、ある程度の時間継続して大気中に揮散させることができる。なお、本実施形態では、第２案内板６の移動は、図４（ａ）に示すように、押圧部材７が本体２のシリンダ２ｇの端部に接触するまで行うことができる。これに対し、第１案内板３の移動は、ストッパ３ａが固定部５に接触するまで行うことができる。
【００３８】
次に、オーバーカバー１２の押し込みを解除すると、図５（ａ）の矢印に示すように、操作部材Ｂは、第２付勢部材８の付勢力によって押し込み前の初期位置に向かって移動を開始する。
【００３９】
すると、オーバーカバー１２の端部１２ｃが、押圧部材７に設けた傾斜リブ７ｂの傾斜面７ｃに接触することにより、図５（ａ）の矢印に示すように、オーバーカバー１２も、押し込み前の初期位置に向かって上昇を開始する。このとき、第２案内板６も、第２付勢部材８の付勢力によって押し込み前の初期位置に向かって移動を開始するとともに、第１案内板３も、第１付勢部材４の付勢力によって押し込み前の初期位置に向かって移動を開始する。このように、オーバーカバー１２の押し込みを解除して、第２案内板６を第２付勢部材８の付勢力によって押し込み前の初期位置に復帰させるとともに、第１案内板３を第１付勢部材４の付勢力によって押し込み前の初期位置に復帰させれば、第１案内板３と操作部材Ｂの受け台３ｃとの間には、図６（ａ）に示すように、ケース１０の上端開口部Ａ2の真上の位置に、揮散剤カプセル２０の残渣２０ｒを落下させるための隙間Ｃが形成される。これにより、揮散剤カプセル２０の残渣２０ｒは、隙間Ｃを通して落下することで、図６（ａ）に示すように、隙間Ｃの真下に配置したケース１０に分別回収することができる。
【００４０】
ケース１０内に回収された残渣２０ｒは、本体２からケース１０をスライドさせることにより、上端開口部Ａ2から取り出すことができる。また、残渣２０ｒがケース１０内に回収されたのちは、本体２の仕切壁２ｄの一部が開口部Ａ1に向かってすり鉢状に形成されているため、収容部Ｓ1内の揮散剤カプセル２０は、自重によって、開口部Ａ1まで移動したのち、開口部Ａ1を通って、第１案内板３と第２案内板６との間に自動的に充填される。これにより、次回の揮散を容易に行うことができる。
【００４１】
上述のように、本実施形態によれば、揮散剤カプセル２０を適宜破壊して揮発性内容物Ｍを取り出すことにより、無駄な揮散を防止しつつ、必要なときには、ある程度の時間継続して揮散を行うことができる。さらに、本実施形態によれば、揮散剤カプセル２０の残渣２０ｒをケースによって分別回収することができる。
【００４２】
上述したところは、本発明の一実施形態を例示的に示したにすぎず、特許請求の範囲において、種々の変更を加えることができる。例えば、操作部材Ｂは、使用者が直接押圧することができる。また、蓋体１１およびオーバーカバー１２はそれぞれ、適宜、省略することができる。
【産業上の利用可能性】
【００４３】
本発明は、必要なときに、ある程度の時間継続して揮散を行うことを目的とする揮散容器であれば、様々なものに利用することができる。
【符号の説明】
【００４４】
１    揮散剤カプセル容器（揮散容器）
２    本体
２ａ  側壁
２ｂ  側壁
２ｃ  側壁
２ｄ  仕切壁（底壁）
２ｈ  通気孔
２ｉ  切り欠き
３    第１案内板（第１の案内板）
３ａ  ストッパ
３ｆ  接触面
４    第１付勢部材（第１の付勢部材）
５    固定部
６    第２案内板（第２の案内板）
６ａ  突起
６ｂ  規制壁
６ｃ  受け台
６ｄ  貫通孔
６ｆ  接触面
７    押圧部
８    第２付勢部材（第２の付勢部材）
９    揮散体（内容物保持部材）
１０  ケース
１１  蓋体
１２  オーバーカバー
２０  揮散剤カプセル（充填カプセル）
Ａ1   開口部
Ａ2   上端開口部
Ｂ    操作部材
Ｃ    隙間
Ｍ    揮発性内容物
Ｓ1   収容部
【図１】
2014166873.tif 000003
【図２】
2014166873.tif 000004
【図３】
2014166873.tif 000005
【図４】
2014166873.tif 000006
【図５】
2014166873.tif 000007
【図６】
2014166873.tif 000008
【図７】
2014166873.tif 000009